(57)【特許請求の範囲】
【請求項１】
製品の包装や添付物の印刷の校正をコンピュータが支援するための版下管理方法において、
印刷の位置が離れることなく印刷物における印刷が１つになる印刷テキスト毎に１つのレコードを構成し、該レコードが該当の印刷テキストを示すデータを少なくとも含むようにすると共に、異なる前記レコード間において、印刷物における印刷テキストの印刷位置が接近しており互いに連続関係が存在することを示すデータを含むようにした、校正基準となる登録情報を印刷物登録情報格納手段に保存し、
印刷の位置が離れることなく印刷物における印刷が１つになる印刷テキスト毎に１つのレコードを構成し、該レコードが該当の印刷テキストを示すデータを少なくとも含むようにした、校正しようとする版下情報から抽出した版下抽出情報を印刷物版下情報格納手段に保存し、
前記連続関係に着目しながら、前記登録情報と前記版下抽出情報とをコンピュータが比較し、
前記比較結果の不一致の印刷テキストについて、不一致の印刷テキストを含むと共に、それぞれの版下における印刷位置及び相互距離及び相互位置関係に基づいた情報を含む、評価結果情報をコンピュータが出力することを特徴とする版下管理方法。
【請求項２】
請求項１に記載の版下管理方法において、
コンピュータがＡＳＰサーバ装置によって比較支援を提供することを特徴とする版下管理方法。
【請求項３】
請求項１又は２に記載の版下管理方法をコンピュータで実行するためのコンピュータ・プログラム。
【請求項４】
製品の包装や添付物の印刷の校正を支援するための版下管理装置において、
印刷の位置が離れることなく印刷物における印刷が１つになる印刷テキスト毎に１つのレコードが構成され、該レコードが該当の印刷テキストを示すデータを少なくとも含むようにされていると共に、異なる前記レコード間において、印刷物における印刷テキストの印刷位置が接近しており互いに連続関係が存在することを示すデータを含むようにされた、校正基準となる登録情報を保存する印刷物登録情報格納装置と、
印刷の位置が離れることなく印刷物における印刷が１つになる印刷テキスト毎に１つのレコードが構成され、該レコードが該当の印刷テキストを示すデータを少なくとも含むようにされた、校正しようとする版下情報から抽出した版下抽出情報を保存する印刷物版下情報格納装置と、
前記連続関係に着目しながら、前記登録情報と前記版下抽出情報とを比較する比較判定処理部と、を備え、
前記比較結果の不一致の印刷テキストについて、不一致の印刷テキストを含むと共に、それぞれの版下における印刷位置及び相互距離及び相互位置関係に基づいた情報を含む、評価結果情報を出力することを特徴とする版下管理装置。
【請求項５】
請求項４に記載の版下管理装置において、
ＡＳＰサーバ装置によって比較支援を提供することを特徴とする版下管理装置。
【請求項６】
請求項４又は５に記載の版下管理装置としてコンピュータを機能させるためのコンピュータ・プログラム。
【発明の詳細な説明】
【技術分野】
【０００１】
本発明は、製品の包装や添付物の印刷デザインの作業や印刷業務に適合させて、印刷の校正を厳密に能率よく行なうための支援を含めた版下管理を、コンピュータ装置を用いて行うことができる版下管理方法、版下管理装置、又、これら版下管理方法及び版下管理装置を実施するためのコンピュータ・プログラムに関する。
【背景技術】
【０００２】
製品の包装や添付物の印刷については、誤記がないように厳重な校正が行われている。これによって医薬品や食品や家電製品などの健康被害や製品誤用による危険を未然に防ぐことができる。又、このような印刷物のデザインなどには従来からコンピュータ装置の利用が図られている。
【０００３】
なお、医薬品や食品や家電製品などの製品の、本発明が対象にする包装紙や包装用の袋や箱などについては、以下単に包装と称する。又製品に添付するビラや冊子や製本物などの印刷物については、単に添付物と称する。
【０００４】
ここで、特に通帳やＩＤカード等の発行の際に、特許文献１では、ＯＣＲ（Optical  Character  Reader）変換により読取られた文字情報と、入力手段により入力された文字情報とを照合する。これにより、書類の記載内容と読取り結果との照合作業を短時間で行うことができるとともに、操作者の目に負担を与えず、正確に照合作業を行うことができるようにしている。
【０００５】
又、商品情報を掲載するチラシ等の印刷物の校正ミスを撲滅するために、特許文献２では、個々の商品毎に、項目の一部又は全部について、紙面データと原稿データとを照合する。これにより、原稿データの指定とは異なる紙面データの箇所を指摘するようにしている。
【先行技術文献】
【特許文献】
【０００６】
【特許文献１】特開平８−８７５６９号公報
【特許文献２】特開２００４−１３３７３４号公報
【発明の概要】
【発明が解決しようとする課題】
【０００７】
しかしながら、特許文献１については、通帳やＩＤカード等といった固定形式の入力事項の校正が対象であり、既定された位置に記載されている入力事項の誤りを確認するためのものである。
【０００８】
特許文献２については、商品情報が正しくチラシに記載されているか照合するものである。チラシには個々の商品毎にその情報が配置されるので、ある商品の情報は特定部位に集合して配置されることになる。
【０００９】
これに対して、本発明が対象とする製品の包装や添付物の印刷については、デザイン性も重要な課題であり、外部のデザイン会社に発注され、更に別会社で印刷されることも多い。製品の包装や添付物のデザインは、初期製品が出荷されるまでに変更されることもあり、初期出荷後についても変更されることがある。
【００１０】
又、デザイン性以上の重要事項として、製品の製造者は、製品自体の品質だけでなく、包装や添付物の印刷について、意図した記載や記載方法との一致が求められることになる。
【００１１】
例えば、種々の法令に基づいて正しい記載がなされているか、必須の記載内容が正確に又誤解のないように印刷されているかなどチェックする必要がある。こうしたチェックは労力を要するだけでなく、速やかに行なう必要がある。しかしながら、従来はこのような校正や版下管理を支援するための装置が提供されてはいなかった。
【００１２】
本発明は、前記従来の問題点を解決するべくなされたもので、製品の包装や添付物の印刷デザインの作業や印刷業務に適合させて、印刷の校正を厳密に能率よく行なうための支援を含めた版下管理を、コンピュータ装置を用いて行うことができる版下管理システムを提供することを課題とする。
【課題を解決するための手段】
【００１３】
本発明は、製品の包装や添付物の印刷の校正を支援するための版下管理方法において、製品に関する印刷テキストを少なくとも含む校正基準となる登録情報を印刷物登録情報格納装置に保存し、校正しようとする版下情報から抽出した、製品に関する印刷テキストを少なくとも含む版下抽出情報を、前記登録情報と比較し、少なくとも該比較結果の一致あるいは不一致に従った評価結果情報を出力することができる。
【００１４】
なお、本発明における校正対象となる印刷物については、製品の包装や添付物であれば特に限定されるものではない。例えば、校正の対象となる印刷物は、医薬品や食品や家電製品などの包装紙や包装用の袋や箱であってもよい。又、製品に同梱される注意書き書や取扱説明書などであってもよい。
【００１５】
なお、本発明において出力される評価結果情報については、校正者を支援したり版下管理を行なうものであればよく、特に限定されるものではない。例えば、明らかな誤記を示すものでも、誤記であるか校正者が判断するために印刷内容を抽出したものでもよい。又、評価結果情報の校正者への提示方法についても、リストなどの文字情報の提示であってもよく、印刷物の全部または一部の画像情報を用いた提示であってもよい。
【００１６】
ここで、本発明の版下管理方法において、前記登録情報及び前記版下抽出情報が、印刷の位置が離れることなく印刷物における印刷が１つになる印刷テキスト毎に１つのレコードが構成されるもので、該レコードが該当の印刷テキストを示すデータを少なくとも含むものであり、異なる前記レコード間において、印刷物における印刷テキストの印刷位置が接近しており互いに連続関係が存在することを示すデータを、前記登録情報及び前記版下抽出情報のうちで少なくとも前記登録情報が有するようにされており、前記比較が、前記連続関係に着目しながら行われるものとすることができる。このような連続関係は、製品の包装や添付物の印刷の特徴や、このような印刷の校正の特徴となっているので、校正のための比較を能率よく行なうことができる。
【００１７】
なお、上述の印刷テキスト間における互いの連続関係を示すデータは、後述する実施例では表形式のファイルにおいて該当レコードの一部データとなっている、「連続か？」のデータが該当する。しかしながら、このようなものに限定されるものではなく、例えば該当する印刷テキストのレコードとは別のファイルに設けられたデータであってもよい。
【００１８】
ここで、本発明の版下管理方法において、ＤＴＰ（Desk  Top  Publishing）アプリケーション・ソフトウェア（以下ＤＴＰソフトとも呼ぶ）を用いてデザインされて保存された印刷物デザイン・データが有する、版下の文字部分についてのテキスト情報、及び版下でのその文字の位置、サイズ、種類のいずれかを示す情報を少なくとも有する属性情報から、前記登録情報あるいは前記版下抽出情報を生成するようにしてもよい。あるいは、本発明の版下管理方法において、印刷の版下のデザイン用に提供された表形式のテキスト情報から前記登録情報を生成すると共に、ＤＴＰソフトを用いてデザインされて保存された印刷物デザイン・データが有する、版下の文字部分についてのテキスト情報、及び版下でのその文字の位置、サイズ、種類のいずれかを示す情報を少なくとも有する属性情報から、前記版下抽出情報を生成するようにしてもよい。なお、本発明が適用されるＤＴＰソフトは特に限定されるものではない。例えば、Ａｄｏｂｅ  Ｉｌｌｕｓｔｒａｔｏｒ（登録商標）などのアプリケーション・プログラムや、汎用のワープロソフトやプレゼンテーションソフトなどを用いることもできる。
【００１９】
又、本発明の版下管理方法において、印刷の版下のデザイン用に提供された表形式のテキスト情報から前記登録情報を生成すると共に、版下の画像情報からＯＣＲ変換して得たテキスト情報から前記版下抽出情報を生成するようにしたことで、デザインされた版下の情報はテキスト情報を含まないものであっても自動的に対応することができる。例えば、ラスタライズ処理済のＡＩ形式（Ａｄｏｂｅ  Ｉｌｌｕｓｔｒａｔｏｒ形式）などの印刷物デザイン・データでテキスト情報を含まないものであっても自動的に対応することができる。
【００２０】
上記のＡＩ形式は、ＤＴＰソフトの１つであるＡｄｏｂｅ  Ｉｌｌｕｓｔｒａｔｏｒにおけるデータ保存形式である。又、このＡＩ形式には、ラスタライズ処理前のテキスト情報を含むものと、ラスタライズ処理済みのテキスト情報を含まないものとが存在する。そして、他にもテキスト情報を含まない版下の２次元画像情報のデータもあり得る。本発明においてＯＣＲ変換を組み込むことで、このようなテキスト情報を含まない版下情報の印刷物デザイン・データにも対応することが可能である。但し、本発明は、このようなＤＴＰソフトの利用や、データ保存形式に限定されるものではない。
【００２１】
又、本発明の版下管理方法において、修正前の版下の画像情報からＯＣＲ変換して得たテキスト情報から前記登録情報を生成すると共に、修正後の版下の画像情報からＯＣＲ変換して得たテキスト情報から前記版下抽出情報を生成するようにしたことで、デザインの修正と校正を繰り返しながら作業する場合にも、効率的に、デザインされた版下の情報がテキスト情報を含まないものであっても自動的に対応することができる。
【００２２】
ここで、前記ＯＣＲ変換によるテキスト情報取得の際に、版下でのその文字の位置、サイズ、種類のいずれかを示す情報を少なくとも有する属性情報も併せて取得するようにしてもよい。
【００２３】
本発明の属性情報は、具体的に限定されるものではないが、例えば、取得したテキスト情報の版下における文字部分の位置や文字サイズなどを示す情報であってもよく、文字色やフォントなどの文字の種類を示す情報であってもよい。又、ＯＣＲ変換によって取得した情報は、テキスト情報及び属性情報を複合構成したものでもよく、例えばＨＴＭＬ形式の情報であってもよい。
【００２４】
更に、本発明の版下管理方法において、前記比較結果の不一致の印刷テキストについて、不一致の印刷テキストを含むと共に、それぞれの版下における印刷位置及び相互距離及び相互位置関係に基づいた情報を含む、前記評価結果情報を出力すると共に、版下のデザインから印刷までの工程における少なくとも一部についての進捗状況の情報を出力することができる。
【００２５】
これにより、校正者に対して客観的な判断の支援をすることができる情報を出力し提供することができる。又、併せて工程の進捗状況の情報が出力されるので、工程管理と併せた版下校正の判断が可能となり、日程に余裕がある場合には多めの版下修正としたり、余裕が少ない場合には相応の版下修正に止めたりすることができる。
【００２６】
なお、後述する実施例の図１０や図２１において利用者に提示される「位置」のデータは、上述のような版下における印刷位置に基づいて出力される情報である。このように版下における印刷位置及び相互距離及び相互位置関係の情報を、そのまま評価結果情報として出力することもできる。あるいは、評価結果情報を生成する過程で用いることもできる。
【００２７】
例えば後述する第２実施例では、校正基準も（図１７に示す版下）校正対象も（図１８の版下）共に版下の画像である。従って、校正基準及び校正対象の間において、ＯＣＲ変換を行いつつ、比較される印刷テキストの印刷位置及び相互距離及び相互位置関係の情報を活用して評価結果情報を生成することができる。
【００２８】
ここで、前記比較、及び前記評価結果情報の出力を、版下のデザインの過程から完了までのワークフロー中に行うことができる。このワークフローは、具体的に限定されるものではないが、版下のデザインが発注されてから、発注版下がデザインされ、印刷されるまでの種々の工程を少なくとも一部含むものである。このようなワークフローにおいては、発注やデザインや印刷の工程を行なう種々の会社や、社内の種々の部署が関わることになる。例えば、発注とデザインと印刷の工程は、全て別会社としてもよく、一部別会社としても、全て同一会社内としてもよい。本発明はこのようなワークフロー中の任意のタイミングで利用可能である。
【００２９】
ここで、本発明の版下管理方法において、ＡＳＰ（Application  program  Service  Provider）サーバ装置によって比較支援を提供することができる。サービス提供者が設置するサーバ装置内部に設けられているアプリケーション・プログラムやＣＰＵ（Central  Processing  Unit）や各種記憶手段を利用させて、サービス提供者が本発明の版下管理のサービスを提供することもできる。
【００３０】
ここで、本発明は、製品の包装や添付物の印刷の校正を支援するための版下管理装置において、印刷の位置が離れることなく印刷物における印刷が１つになる印刷テキスト毎に１つのレコードが構成され、該レコードが該当の印刷テキストを示すデータを少なくとも含むようにされていると共に、異なる前記レコード間において、印刷物における印刷テキストの印刷位置が接近しており互いに連続関係が存在することを示すデータを含むようにされた、校正基準となる登録情報を保存する印刷物登録情報格納装置と、印刷の位置が離れることなく印刷物における印刷が１つになる印刷テキスト毎に１つのレコードが構成され、該レコードが該当の印刷テキストを示すデータを少なくとも含むようにされた、校正しようとする版下情報から抽出した版下抽出情報を保存する印刷物版下情報格納装置と、前記連続関係に着目しながら、前記登録情報と前記版下抽出情報とを比較する比較判定処理部と、を備え、前記比較結果の不一致の印刷テキストについて、不一致の印刷テキストを含むと共に、それぞれの版下における印刷位置及び相互距離及び相互位置関係に基づいた情報を含む、評価結果情報を出力することができる。
【００３１】
又、本発明の版下管理装置は、ＡＳＰサーバ装置によって比較支援を提供することができる。
【００３２】
以上の版下管理方法及び版下管理装置は、コンピュータ・プログラムによって実現することができる。
【発明の効果】
【００３３】
本発明によれば、印刷物のデザインの元になる情報と、デザインされた情報を業務形態に適合しながら比較することができる。従って、製品の包装や添付物の印刷デザインの作業や印刷業務に適合させて、印刷の校正を厳密に能率よく行なうための支援を含めた版下管理を、コンピュータ装置を用いて行うことができる。
【００３４】
デザイン上の明らかな誤記を明示できるだけでなく、誤記の可能性がある箇所を校正者に対して明示する情報を提供することができる。更には、製品に関係する諸法規に従った校正を支援することができる。
【図面の簡単な説明】
【００３５】
【図１】本発明がＡＳＰサービスの形態で適用される実施形態の版下管理システムの全体的な構成を示すブロック図
【図２】前記実施形態の各装置に用いられるコンピュータ装置のハードウェアの構成を示すブロック図
【図３】前記実施形態の主要部である版下管理装置を含むＡＳＰサーバ装置の構成を示すブロック図
【図４】前記実施形態における印刷業務の全体的な流れを示すフローチャート
【図５】前記実施形態における印刷校正の処理の全体的な流れを示すフローチャート
【図６】前記実施形態が適用された本発明の第１実施例の版下仕様内容テキスト情報を示す線図
【図７】前記実施例における版下管理情報（依頼中（初回））を示す線図
【図８】本実施例において作成された包装の版下を示す線図
【図９】本実施例の包装の版下をＯＣＲ変換して生成された情報を示す線図
【図１０】本実施例の包装の版下を校正するために出力された評価結果情報を示す線図
【図１１】前記実施例における版下管理情報（納品）を示す線図
【図１２】前記実施例における版下管理情報（受領・確認中）を示す線図
【図１３】前記実施例における版下管理情報（受領済・採用確定（案２））を示す線図
【図１４】前記実施例における版下管理情報（差し戻し（案１の微調整と、他の案の提案要請））を示す線図
【図１５】前記実施例における版下管理情報（納品）を示す線図
【図１６】前記実施例における版下管理情報（受領済・採用確定・印刷中 （案１修正版））を示す線図
【図１７】前記実施形態が適用された本発明の第２実施例において校正基準とされる包装の版下（版下１）を示す線図
【図１８】前記第２実施例において校正対象とされる包装の版下（版下２）を示す線図
【図１９】前記第２実施例における前記版下（版下１）をＯＣＲ変換して生成された情報を示す線図
【図２０】前記第２実施例における前記版下（版下２）をＯＣＲ変換して生成された情報を示す線図
【図２１】前記第２実施例における前記版下（版下１）及び前記版下（版下２）の比較結果に従って出力される評価結果情報を示す線図
【発明を実施するための形態】
【００３６】
以下、図面を参照して、本発明を好適に実施するための形態（以下、実施形態という）について詳細に説明する。
【００３７】
なお、本発明は、以下の実施形態及び実施例に記載した内容により限定されるものではない。又、以下に記載した実施形態及び実施例による構成要素には、当業者が容易に想定できるもの、実質的に同一のもの、いわゆる均等の範囲のものが含まれる。更に、以下に記載した実施形態及び実施例で開示した構成要素は、適宜組み合わせてもよいし、適宜選択して用いてもよい。
【００３８】
図１は、本発明がＡＳＰサービスの形態で適用される実施形態の版下管理システムの全体的な構成を示すブロック図である。
【００３９】
この図において、ＡＳＰサーバ装置２０において設けられる、後述する版下管理装置４０が本発明の適用された主要部である。又、クライアント装置５は、ＡＳＰサーバ装置２０が提供するＡＳＰサービスの版下管理サービスの利用者が操作するものである。
【００４０】
又、図示されるように、これらＡＳＰサーバ装置２０、及び適宜利用者各々に設けられるクライアント装置５は、相互に、ネットワーク１により接続されている。該接続により、種々の情報交換がなされる。クライアント装置５は、製品の包装や添付物の印刷をデザインする者や、デザインしたものを校正する者が利用する。例えばデザイン会社の社員や、各種製品の製造者であって、製品の包装や添付物の印刷の発注元で納品されたデザインを校正する者などが利用する。
【００４１】
なお、ＡＳＰサーバ装置２０及びクライアント装置５を接続するネットワーク１は、特に限定されるものではない。通常は主としてインターネットが利用されるが、公衆回線あるいは専用回線を用いるものでも、インターネットやＷＡＮ（Wide  Area  Network）やＬＡＮ（Local  Area  Network）やＶＰＮ（Virtual  Private  Network）を用いるものでも、又これらを複合的に接続し構成するものであってもよい。
【００４２】
図２は、本実施形態の各装置に用いられるコンピュータ装置のハードウェアの構成を示すブロック図である。
【００４３】
この図２においては、ＡＳＰサーバ装置２０やクライアント装置５の各装置として利用可能な、ある種のコンピュータ装置のハードウェア構成が示される。しかしながら、各装置は、このようなものに限定されるものではない。
【００４４】
図２の該コンピュータ装置は、ＯＳ（Operating  System）は一例として米国マイクロソフト社のＷｉｎｄｏｗｓ（登録商標）を搭載する、一般的なＰＣ（Personal  Computer）装置であってもよく、特に限定されものではない。あるいは、ＰＣ装置以外のハードウェアを用いてもよく、例えばＥＷＳ（Engineering  Work  Station）などの、いわゆるワークステーションなどのハードウェアを用いるようにしてもよい。なお、この図において、ハードウェア構成は、説明の関係上一部抽象化されている。
【００４５】
この図において、コンピュータ装置は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、種々のＩ／Ｆ３２０〜３２２とを有している。これらは、バス３０１によって相互接続されている。
【００４６】
なお、ＬＡＮ−Ｉ／Ｆ３１３は、ネットワーク１に対して接続するために用いられる。
【００４７】
又、バス３０１に対して、Ｉ／Ｆ３２０を介して、画面表示装置３３０が接続されている。又、バス３０３によって相互接続されている、キーボード３３１と、マウス３３２と、プリンタ装置３３３とは、バス３０１に対して、Ｉ／Ｆ３２１を介して接続されている。
【００４８】
更に、バス３０１に対して、Ｉ／Ｆ３２２を介して、ＨＤＤ（Hard  Disc  Drive）装置３４０と、ＣＤ（Compact  Disc）ドライブ装置３４１とが接続されている。これらはバス３０２によって相互接続されている。
【００４９】
以上のようなハードウェア構成において、記憶手段、又記憶装置は、ＲＡＭ３１１、ＲＯＭ３１２、ＨＤＤ装置３４０、ＣＤドライブ装置３４１などである。このような記憶手段や記憶装置において、ＣＰＵ３１０で実行される様々なプログラムや、本実施形態においてアクセスされるデータベースや諸ファイルやデータが保存され、電子的にアクセスができるようになっている。例えば、ＯＳや、データベースやＪＡＶＡ（登録商標)やＪＳＰ（Java（登録商標)  Server  Page）などのソフトウェア資源を利用する環境を提供するためのプログラム、本実施形態に係るアプリケーション・プログラム、又ウェブ・ブラウザ・プログラムは、ＨＤＤ装置３４０に格納されていて、実行時には、ＲＡＭ３１１に読み出されてＣＰＵ３１０によって実行される。なお、ＣＰＵ３１０で実行されるアプリケーション・プログラムには、ネットワーク１経由で取得される、ＪＡＶＡ（登録商標)のアプレットや、データ管理保存装置におけるＡＳＰ（Active  Server  Page）の機能によって提供されるものも含まれる。
【００５０】
又、ＯＳやアプリケーション・プログラムその他の実行に際して、オペレータは、画面表示装置３３０に表示出力される情報を参照しつつ、キーボード３３１によって文字入力や諸操作を行ったり、マウス３３２によって座標入力や諸操作の入力を行ったりする。例えば、マウス３３２によって、一覧表示される電子的な帳票の選択をしたり、閲覧中の電子的な帳票において、検索などの範囲指定を行ったり、その他、クリック操作や、いわゆるドラッグ・アンド・ドロップ操作により様々な操作を行ったりする。又、適宜、プリンタ装置３３３からは必要な情報を印字出力したりすることができる。言うまでもなく、これら諸出力や入力は、ＣＰＵ３１０で実行されるプログラムによって、電子的な処理によって行われるものである。
【００５１】
なお、ＣＤドライブ装置３４１は、本発明を適用して実施する際の、アプリケーション・プログラムのインストールや、その他のオフラインでの情報交換に用いられる。
【００５２】
図３は、本実施形態の主要部である版下管理装置４０を含むＡＳＰサーバ装置２０の構成を示すブロック図である。
【００５３】
図示されるように、前述のＡＳＰサーバ装置２０は、本発明が適用されている版下管理装置４０に加えて、アカウント管理処理部２２と、アカウント情報格納装置２３と、ＡＳＰ管理者装置２５とを備える。
【００５４】
このアカウント管理処理部２２は、クライアント装置５の利用者としての資格に関する、アカウント登録させるための処理を行う。又、アカウント情報格納装置２３は、このアカウント管理処理部２２の処理に従って、利用者ＩＤやパスワードや利用権限の範囲といったアカウント登録情報を格納する。ＡＳＰ管理者装置２５は、版下管理装置４０に対して、ＡＳＰ管理者が種々の設定を行なうための処理を行なう。
【００５５】
次に、版下管理装置４０は、共通校正用情報管理処理部４２と、管理設定処理部４５と、比較判定処理部４６と、判定結果出力処理部４８とを備える。又該版下管理装置４０は、共通校正用情報格納装置６０と、利用者管理情報格納装置６２と、印刷物登録情報格納装置６４と、印刷物版下情報格納装置６５とを備える。
【００５６】
まず、共通校正用情報管理処理部４２は、ＡＳＰ管理者装置２５と共に、版下管理を行なう上で利用者に共通の情報の登録を共通校正用情報格納装置６０に行う。例えば、製品の包装や添付物の印刷や印刷内容について守るよう要求される、法規制の事項などの登録を行なう。
【００５７】
管理設定処理部４５は、利用者毎に、版下の依頼やデザインの進捗を管理する版下管理システムの情報を利用者管理情報格納装置６２に格納する。更に、利用者が自らの校正支援に用いるために登録する、特定の印刷物に固有ではない共通の、版下管理システムの情報を利用者管理情報格納装置６２に格納する。
【００５８】
管理設定処理部４５は、校正基準の情報として、印刷の版下のデザイン用に提供された表形式のテキスト情報から生成した元データとなる、製品に関する印刷項目及びその内容を示す登録情報を印刷物登録情報格納装置６４に保存する。又、該管理設定処理部４５は、校正対象の情報として、版下の画像情報からＯＣＲ変換して得たテキスト情報から生成した版下抽出情報を印刷物版下情報格納装置６５に保存する。
【００５９】
なお、印刷物登録情報格納装置６４及び印刷物版下情報格納装置６５は一体構成してもよい。又、校正基準の情報及び校正対象の情報は相互に交換してもよい。例えば、校正対象とされていた情報を、後に校正基準の情報として用いるようにしてもよい。
【００６０】
比較判定処理部４６は、上述の校正基準の登録情報及び校正対象の版下抽出情報を比較する。そして、該比較結果を用いて、版下を校正するための、少なくとも該比較結果の一致あるいは不一致に従った評価結果情報を、判定結果出力処理部４８から出力する。該判定結果出力処理部４８は出力する評価結果情報のフォーマットを整える処理を行なう。
【００６１】
図４は、本実施形態における印刷業務の全体的な流れを示すフローチャートである。
【００６２】
本実施形態の版下管理システムでは、版下の作成を依頼してから依頼した版下を用いる印刷が完成するまでの、一連の工程管理機能を備える。又、依頼したデザインがなされた版下の校正を支援する機能を備える。
【００６３】
なお、本実施形態で扱う版下は、特にＤＴＰソフトで扱えるデータそのものを対象とするものである。例えばＡＩ形式の印刷物デザイン・データを対象とする。又、製版用の印刷済原稿は特に管理対象とはしていない。
【００６４】
なお、本発明は、このようなＤＴＰソフトとしてＡｄｏｂｅ  Ｉｌｌｕｓｔｒａｔｏｒに限定されるものではない。又、印刷物デザイン・データのデータ保存形式（以下特定保存形式と呼ぶ）についてもＡＩ形式に限定されるものではない。
【００６５】
本実施形態における版下校正の支援機能は、デザインされた版下に含まれるテキスト情報の誤字脱字や、フォントサイズ（文字の大きさ）や配置に関する不都合を見出すためのものである。例えば、法律的に商品パッケージに表示が義務付けられているような文言などの重要なテキスト情報に関するものであり、その内容に加え、表示位置・表示サイズも校正対象として取り扱う。
【００６６】
本実施形態の版下管理システムは、特にＡＳＰとして利用者に提供されている。なお、本実施形態の版下管理システムを導入しない場合にも、製品の製造会社や、該製品の包装のデザイン会社の業務の流れは略同じである。
【００６７】
まず、ステップＳ１０２では、製品製造会社が包装の版下作成をデザイン会社に依頼する。この時、包装に表示する重要なテキスト情報（内容・仕様データ）を作成し通知する。この内容・仕様データには、例えば商品名や注意書きが含まれる。
【００６８】
なお、後述する実施例では、図６に示す版下仕様内容テキスト情報を作成し通知するようにしている。
【００６９】
ステップＳ１０４では、デザイン会社は、口頭や文書、あるいはオンラインやオフラインで上述の内容・仕様データを受け取り、版下のデザインを作成する。例えばＡｄｏｂｅ  Ｉｌｌｕｓｔｒａｔｏｒなどのアプリケーション・プログラムを用いてデザインする。
【００７０】
ステップＳ１０６では、デザインされた版下の校正を行い、出来上がった版下のデザインを、特定保存形式の印刷物デザイン・データで製品製造会社に納品する。校正で問題があれば図中破線矢印で示すように再びステップＳ１０４を行なう。なお、１つの製品の包装デザインに関して、サンプル的に複数の版下を作成する場合もある。
【００７１】
ステップＳ１０８では、製品製造会社は納品を受領すると共に、製品製造会社としても改めて版下の校正を行い、包装のデザインの確認だけでなく、重要なテキスト情報が正しく印刷されるようになっているかも確認し、採用する版下を決める。そして、デザインがイメージと合っていなかったり重要なテキスト情報が正しくなかったりした場合には、図中破線矢印で示すように差し戻してステップＳ１０４からやり直す。場合によってはステップＳ１０６やステップＳ１０８からステップＳ１０４へ複数回の差し戻しが発生することもある。
【００７２】
ステップＳ１０８においてデザインも重要なテキスト情報も満足のゆくものであれば、ステップＳ１１０において製品製造会社は決定稿を印刷所に送り印刷手配を行なう。ステップＳ１１２において、印刷所では、特定保存形式の印刷物デザイン・データにラスタライズ処理を行なって印刷機に用いるデータを作成し、パッケージの印刷を行なう。ステップＳ１１４では包装の印刷が完成し、ステップＳ１１６では製品が印刷された包装で出荷されることになる。
【００７３】
なお、上述のステップＳ１１０の印刷手配はデザイン会社で行なうこともある。ラスタライズ処理は印刷手配側（ステップＳ１１０）及び印刷所側（ステップＳ１１２）のいずれで行ってもよい。又印刷所は製品製造会社やデザイン会社の内部にある場合もあるが、印刷会社などの別会社である場合もある。
【００７４】
図５は、本実施形態における印刷校正の処理の全体的な流れを示すフローチャートである。
【００７５】
この図に示される印刷校正の処理は、前述の図４のステップＳ１０６におけるデザイン会社による校正にも（図４中で太線矩形図示）、同図ステップＳ１０８における製品製造会社による校正にも（図４中で太線矩形図示）利用できるものである。
【００７６】
本実施形態では、ＡＳＰによって版下管理システムが提供される。このため、ＡＳＰ管理者は予め、破線で図示されるステップＳ１３２において、版下管理を行なう上で利用者に共通の情報の登録を共通校正用情報格納装置６０に行う。
【００７７】
例えば、製品の包装や添付物の印刷や印刷内容について守るよう要求される法規制の事項など、ＡＳＰの利用者である様々な製品製造会社やデザイン会社に共通の事項については、ＡＳＰ管理者は予め登録しておく。登録された情報は版下管理や版下校正の支援に用いられる。
【００７８】
又、後述するように、ＯＣＲ変換した後に、印刷テキスト間の連続関係の有無を示すデータを管理設定処理部４５において自動的に生成する際に用いる、印刷テキスト間の「テキスト」の関連性を判断する際に用いる情報についても、ＡＳＰの利用者に共通の事項として、ＡＳＰ管理者は予め登録しておく。例えば、「エネルギー」の文言には「ｋｃａｌ」を含む文言に連続関係の関連性があるなどといった判断に用いる情報を予め登録しておく。
【００７９】
そして、アカウント登録されている利用者は、ステップＳ１３４において、クライアント装置５からネットワーク１を経てＡＳＰサーバ装置２０にある版下管理装置４０の管理設定処理部４５に接続し、利用者ＩＤとパスワードを入力してＡＳＰのログインを行なう。なお、本実施形態における利用者のアカウント登録は予め行なっておくものとする。
【００８０】
そして、ステップＳ１３６では、利用者は、管理設定処理部４５により、利用者毎に版下の依頼やデザインの進捗を管理する版下管理システムの情報を利用者管理情報格納装置６２に格納する。又、適宜、利用者が自らの校正支援に用いるために登録する、特定の印刷物に固有ではない、該当利用者が汎用する版下管理システムの情報を利用者管理情報格納装置６２に格納する。
【００８１】
ステップＳ１３８〜ステップＳ１４４では、個々の印刷物の校正作業を行なうことになる。
【００８２】
まずステップＳ１３８では、利用者は、管理設定処理部４５により、校正の元になるデータとして、製品に関する印刷項目及びその内容を示す登録情報を印刷物登録情報格納装置６４に保存する。この校正基準となる情報は、印刷の版下のデザイン用に提供された表形式のテキスト情報から生成したものでもよく、比較対照される元になる版下デザインから生成したものでもよい。
【００８３】
又、ステップＳ１４０では、利用者は、管理設定処理部４５により、校正しようとする版下の画像情報からＯＣＲ変換して得たテキスト情報から生成した版下抽出情報を印刷物版下情報格納装置６５に保存する。
【００８４】
そうしてから、ステップＳ１４２では、比較判定処理部４６により、これら保存した登録情報及び版下抽出情報を比較する。又、ステップＳ１４４では、版下を校正するための、少なくとも該比較結果の一致あるいは不一致に従った評価結果情報を、判定結果出力処理部４８から出力する。ステップＳ１４２での比較や、ステップＳ１４４で出力される情報の生成には、前述のステップＳ１３２でＡＳＰ管理者が登録した、法規制などの共通事項の情報も利用される。
【実施例】
【００８５】
以下、上述の実施形態において、製品の印刷物の具体例により、校正対象を特に印刷されるテキスト（以下印刷テキストと呼ぶ）とする、本発明の実施例について説明する。
【００８６】
まず、本実施形態が適用された第１実施例を説明する。
【００８７】
図６は、前記実施形態が適用された本発明の第１実施例の版下仕様内容テキスト情報を示す線図である。
【００８８】
この版下仕様内容テキスト情報を用いて通知することによって、本実施例では、製品製造会社がデザイン会社に対して、包装に表示する重要なテキスト情報（内容・仕様データ）を伝達し、包装の版下作成を依頼する。又、この包装の商品は、商品名が「スープはるさめ」の食品であり、法規制に従って包装に印刷すべき重要なテキスト情報（以下法規制重要事項と呼ぶ）がある。
【００８９】
この図のように、正式の名称が「即席春雨」となっている。又、包装には、法令に従って印刷しなければならない、「原材料名」の印刷テキストや、「標準栄養成分」の印刷テキストがあり、これらは法規制重要事項となる。
【００９０】
本実施形態において、版下仕様内容テキスト情報は、版下校正の基準となるもので、この目的に好適な構成とされている。デザイン上、印刷物における印刷が１つになる印刷テキストについては１つのレコードで構成され、表形式では１行で構成される。又、間にスペース（空白文字など）を介するなど、印刷の位置が離れる印刷テキストについては、別のレコードで表形式における別の行となる。
【００９１】
図示されるように、版下仕様内容テキスト情報における各レコードは、「No」のレコード番号、「テキスト」の印刷内容、「連続か？」の直前レコードとの連続関係の有無、「重要か？」の該当レコードの重要性の有無、「フォント」の印刷条件を示す、これらのデータによって構成されている。
【００９２】
「No」のレコード番号は、基本的に連番であり、個々のレコードの区別に用いる。「テキスト」の印刷内容は、印刷テキストの文字内容であり、印刷物に印刷される文字として校正対象となる。
【００９３】
「連続か？」の連続関係で「○」つまり直前レコードと連続関係有りと設定された場合、そのレコードの印刷テキストは、直前レコードの印刷テキストと関連するものとして、接近して印刷されている必要がある。これらレコードの印刷テキストが連続関係有りとされるように印刷されているか否かは、印刷の校正対象になる。
【００９４】
例えばこの図６では、「連続か？」が「○」となって連続関係有りとされる「名称」及び「即席春雨」や、「エネルギー」及び「８０ｋｃａｌ」や、「たん白質」及び「１．０ｇ」については、連続関係有りに応じた接近した相互印刷位置で目視できるように印刷される必要があり、そのようになっているか否かが校正対象となる。
【００９５】
又、このような連続関係有りのものは、印刷物上における印刷位置の順序も、この図６の表中の順序通りとなるようにすべきであり、校正対象とする。例えば、印刷物上において、上から下へ、右から左へというような順序とは入れ替わった場合にはエラーとされる。連続関係有りとなっている「即席春雨」は「名称」の、「８０ｋｃａｌ」は「エネルギー」の、「１．０ｇ」は「たん白質」の下側あるいは右側に印刷される必要がある。
【００９６】
「重要か？」の該当レコードの重要性は、「○」であれば重要性が有りとなり、校正の確認はより慎重になされることになる。「フォント」の印刷条件は、該当レコードの「テキスト」の印刷の、印刷物上での印刷文字の大きさや改行位置を示す。例えば図６において「No」が「１」の「スープはるさめ」の印刷文字の大きさは、この図で「フォント」が「１４ｐｔ以上」とされているので１４ポイント以上となる必要がある。
【００９７】
図７は、本実施例における版下管理情報（依頼中（初回））を示す線図である。
【００９８】
前述の図４のステップＳ１０２において、図６の版下仕様内容テキスト情報が製品製造会社で作成されてデザイン会社に送付され、製品製造会社からデザイン会社に版下デザイン作成が依頼される。すると、本実施形態の工程管理機能により、管理設定処理部４５は、クライアント装置５からの利用者による操作に応じて図７に示すような版下管理情報を作成し、利用者管理情報格納装置６２に格納する。
【００９９】
図７において、まず管理系情報には、「対象」として今回の包装印刷の工程名称となる「商品パッケージ」が示される。「依頼先」として版下デザインの作成を依頼する会社名である「デザイン会社Ａ」が示される。「ステータス」として、ステップＳ１０２でデザイン作成依頼をしたことを示す「依頼中（初回）」が示される。
【０１００】
次に、「テキスト情報」は、図６に示した版下仕様内容テキスト情報である。
【０１０１】
ここで、この図７、又後述する図１１〜図１６にある「ステータス」は、発注された版下デザインについて、納品や受領や印刷などといった工程の進捗状況を示すものである。このような進捗状況の情報を利用者に対して出力することにより、工程管理と併せた版下校正の判断が可能となる。例えば、日程に余裕がある場合や少ない場合に応じた、版下校正の修正判断をすることができる。
【０１０２】
図８は、本実施例において作成された包装の版下を示す線図である。
【０１０３】
図示される版下は、図６の版下仕様内容テキスト情報の送付により依頼され、該版下仕様内容テキスト情報に従ってデザインされたものである。この版下は、特定保存形式の印刷物デザイン・データで製品製造会社に納品されたものである。
【０１０４】
この納品は、図４ではステップＳ１０６の最後に行われるものである。又、このステップＳ１０６では、納品に先立ってまず、デザイン会社において版下校正が行われる。
【０１０５】
デザイン会社において行なう版下校正を説明すると、デザイン会社に所属する版下管理装置４０の利用者はクライアント装置５から接続してログインする。そうして、管理設定処理部４５により、校正基準となる本実施例の版下仕様内容テキスト情報を印刷物登録情報格納装置６４に格納する。又、管理設定処理部４５により、校正対象になる図８の特定保存形式の印刷物デザイン・データに対して、ＯＣＲ変換してテキスト情報を生成し、印刷物版下情報格納装置６５に格納する。
【０１０６】
ここで、図９は、本実施例の包装の版下をＯＣＲ変換して生成された情報を示す線図である。
【０１０７】
「No」のレコード番号は、基本的に連番であり、ＯＣＲ変換で抽出された文字列に順に番号が付される。「テキスト」はＯＣＲ変換で抽出された文字列の内容であり、印刷物に印刷された文字として校正対象となる。「座標」はＯＣＲ変換で抽出された文字列の先頭文字についての印刷物上における位置座標であり、「サイズ」はＯＣＲ変換で抽出された文字列の文字の大きさであり、「フォント」はＯＣＲ変換で抽出された文字列の文字フォントであり、「連続か？」は直前レコードとの連続関係の有無である。ＯＣＲ変換して生成された情報の各レコードは、これらのデータによって構成されている。
【０１０８】
ここで、「連続か？」の連続関係で「○」つまり直前レコードと連続関係有りと設定された場合、そのレコードの印刷テキストは、直前レコードの印刷テキストと関連するものとして、接近して印刷されている必要がある。
【０１０９】
そして、この「連続か？」の連続関係の有無を示すデータは、管理設定処理部４５におけるＯＣＲ変換で抽出された情報を用いて生成する。具体的には、２つのレコードにおいて印刷テキスト間の「座標」の接近を判定すると共に、相互の位置関係や、印刷テキスト間の「テキスト」の関連性から、この「連続か？」の連続関係の有無を示すデータを、管理設定処理部４５において自動的に生成する。又、管理設定処理部４５は、この「連続か？」のデータを含め、図９に示されるようなレコード構成の情報を印刷物版下情報格納装置６５に保存する。
【０１１０】
「テキスト」の関連性については、例えば、「エネルギー」の文言には「ｋｃａｌ」を含む文言に連続関係の関連性があるという情報を、ＡＳＰ管理者装置２５から共通校正用情報管理処理部４２により、共通校正用情報格納装置６０に保存しておく。同様に、「たん白質」や「脂質」や「炭水化物」や「ナトリウム」の文言には、「ｇ」や「ｍｇ」を含む文言に連続関係の関連性があるという情報を、共通校正用情報格納装置６０に保存しておく。
【０１１１】
校正基準となる情報が印刷物登録情報格納装置６４に保存され、校正対象となる情報が印刷物版下情報格納装置６５に保存されると、デザイン会社に所属する版下管理装置４０の利用者は、図８の版下を校正するための評価結果情報を得るための操作を、クライアント装置５から管理設定処理部４５を経て比較判定処理部４６に対して行なう。すると、判定結果出力処理部４８から図１０に示す情報を生成することができる。
【０１１２】
ここで、以上の説明では、図８に示される版下において、ラスタライズ処理済などのために、特定保存形式の印刷物デザイン・データにはテキスト情報がないものとした。このため、ＯＣＲ変換してテキスト情報を生成するものとした。これに対して、このような版下の印刷物デザイン・データで、ラスタライズ処理前などのためにテキスト情報が含まれ、更には版下でのその文字の位置、サイズ、種類のいずれかを示す情報を少なくとも有する属性情報が含まれる場合もある。
【０１１３】
このように校正対象になる版下の印刷物デザイン・データに、テキスト情報や、必要な属性情報が含まれている場合、ＯＣＲ変換してテキスト情報を生成しなくても、版下の印刷物デザイン・データから、図９に示さるような情報を管理設定処理部４５において生成し、これを印刷物版下情報格納装置６５に保存することができる。
【０１１４】
なお、この図９の情報を生成するためには、属性情報として、テキスト情報の版下における、文字部分の位置、文字サイズ、及び、フォントを示す情報が必要となる。又、属性情報には、他にも例えば、文字部分の文字色を含むようにしてもよい。
【０１１５】
そして、校正対象となる情報が印刷物版下情報格納装置６５に保存されると、デザイン会社に所属する版下管理装置４０の利用者は、図８の版下を校正するための評価結果情報を得るための操作を、クライアント装置５から管理設定処理部４５を経て比較判定処理部４６に対して行なう。すると、判定結果出力処理部４８から図１０に示す情報を生成することができる。
【０１１６】
図１０は、本実施例の包装の版下を校正するために出力された評価結果情報を示す線図である。
【０１１７】
この評価結果情報の各レコードは、比較判定処理部４６における比較処理その他の校正支援処理において見出された、各エラーに対応するものである。
【０１１８】
又、「No」のレコード番号は、基本的に連番であり、見出された各エラーに対して順に番号が付される。「結果」は見出されたエラーの内容を示すために生成されたコメントである。「対象No」は該当エラーが関係する版下仕様内容テキスト情報におけるレコードを指し示すレコード番号である。「位置」は該当エラーが関係する版下における印刷位置を指し示す。
【０１１９】
この図１０において、まず、「No」が「１」のエラーでは、「対象No」が「１」となる版下仕様内容テキスト情報（図６）のレコードの「テキスト」が「スープはるさめ」であるのに対して、ＯＣＲ変換して生成された情報（図９）の対応する「テキスト」が「スープ  はるさめ」である（図９の「No」が「１」）。従って、「スープ」及び「はるさめ」の間におけるスペースの有無の相違が、校正基準の情報及び校正対象の情報の間において存在することを理由とするエラーとなっている。
【０１２０】
次に、図１０の「No」が「２」のエラーでは、「対象No」が「１」となる版下仕様内容テキスト情報（図６）のレコードの「フォント」が「１４ｐｔ 以上」とされている。これに対して、ＯＣＲ変換して生成された情報（図９）の対応する「テキスト」の「スープ  はるさめ」の「フォント」が「１３ｐｔ 明朝」（図９の「No」が「１」）となっている。従って、校正対象の版下の該当テキストのフォント（１３ｐｔ）が、校正基準の規定に対して小さいことを理由とするエラーとなっている。
【０１２１】
続いて、図１０の「No」が「３」のエラーでは、「対象No」が「ｎ＋５」となる版下仕様内容テキスト情報（図６）のレコードの「テキスト」が「１．０ｇ」とされている。これに対して、ＯＣＲ変換して生成された情報（図９）の対応する「テキスト」が「１ｇ」である（図９の「No」が「ｎ＋３」）。従って、「１．０ｇ」と「１ｇ」との相違が、校正基準の情報及び校正対象の情報の間において存在することを理由とするエラーとなっている。
【０１２２】
ここで、図１０では、このような３つのエラーが報告されるものの、重要性がない印刷テキストの誤りであったりするなど、いずれも実体的に誤りとはなっていないと判断される。例えば目視では誤りを見出し難い、印刷のフォントが小さいという図１０中「No」が「２」のエラーについても、図６の「No」が「１」のレコードにおいて「重要か？」の欄は空欄であるので重要性はない印刷テキストであり、従って問題とはならないエラーである。このため、デザイン会社は、ステップＳ１０６の後に版下を製品製造会社に納品する。
【０１２３】
なお、以上のような判定結果出力処理部４８からのエラー報告や、他の理由から、デザインの修正が必要であると判断した場合には、ステップＳ１０６の後に再びステップＳ１０４に進むことになる。
【０１２４】
図１１は、本実施例における版下管理情報（納品）を示す線図である。
【０１２５】
デザイン会社が版下を製品製造会社に納品すると、図１１に示されるように「ステータス」は「納品」となる。この版下管理情報は、管理設定処理部４５によって利用者管理情報格納装置６２に格納される。
【０１２６】
ここで、前述の図７と比較すると、この図１１においては、「ステータス」は「依頼中（初回）」から「納品」に変更され、特定保存形式の印刷物デザイン・データの「版下  案１」及び「版下  案２」が添付され追加されている。
【０１２７】
なお、この図において「版下  案１」及び「版下  案２」とあるように、１つの依頼に対して複数の版下を納品することが可能となっている。
【０１２８】
以上に説明したように、ステップＳ１０６の後、デザイン会社から納品されると、続くステップＳ１０８において、今度は製品製造会社が納品された版下の校正を行なう。デザイン会社における校正に加えて、製品製造会社が改めて校正することで、厳重で厳密な校正を行なうことができる。これによって、誤りのある版下で印刷を行なってしまうことを防ぐことができる。
【０１２９】
この製品製造会社における校正では、製品製造会社に所属する版下管理装置４０の利用者が、クライアント装置５から接続してログインする。そうして、本実施例の版下仕様内容テキスト情報を印刷物登録情報格納装置６４に格納する。又、図８の特定保存形式の印刷物デザイン・データに対してＯＣＲ変換してテキスト情報を生成すると共に、生成したものを印刷物版下情報格納装置６５に格納する。
【０１３０】
このステップＳ１０８における製品製造会社による版下校正作業についても、前述したステップＳ１０６におけるデザイン会社による版下校正と同様に行なうことができる。
【０１３１】
ここで、図１２は、本実施例における版下管理情報（受領・確認中）を示す線図である。図１３は、本実施例における版下管理情報（受領済・採用確定（案２））を示す線図である。
【０１３２】
前述の図１１と比較すると、この図１２においては、「ステータス」は「納品」から「受領・確認中」に変更されている。次に、この図１３においては、図１２において「受領・確認中」だった「ステータス」は「受領済・採用確定（案２）」に変更され、添付されている特定保存形式の印刷物デザイン・データの「版下  案２」は「版下  案２  採用」に表示が変更されている。
【０１３３】
デザイン会社が版下を納品後、製品製造会社が版下を校正している間、図１２に示されるように版下管理情報の「ステータス」は「受領・確認中」となる。ステップＳ１０８の製品製造会社による版下校正の後、版下に誤りや問題がなっていないと判断されると、その旨を製品製造会社に所属する版下管理装置４０の利用者が、クライアント装置５から接続してログインして、利用者管理情報格納装置６２に版下管理情報を登録する。例えば、「版下  案２」を採用したとすると、図１３に示されるように版下管理情報の「ステータス」は「受領済・採用確定（案２）」となる。この版下管理情報は、管理設定処理部４５によって利用者管理情報格納装置６２に格納される。
【０１３４】
万一、このステップＳ１０８における製品製造会社における校正において、判定結果出力処理部４８からのエラー報告や、他の理由から、デザインの修正が必要であると判断した場合には、ステップＳ１０８の後に再びステップＳ１０４に進むことになる。
【０１３５】
ここで、図１４は、本実施例における版下管理情報（差し戻し（案１の微調整と、他の案の提案要請））を示す線図である。
【０１３６】
前述の図１２と比較すると、この図１４においては、「ステータス」は「受領・確認中」から「差し戻し（案１の微修正と、他の案の提案要請）」に変更されている。又、添付されている特定保存形式の印刷物デザイン・データの「版下  案１」及び「版下  案２」は、それぞれ「版下  案１  修正依頼」及び「版下  案２  不採用」に表示が変更されている。
【０１３７】
この図１４は、ステップＳ１０８において製品製造会社が版下の案２を不採用とすると共に、版下の案１の微修正を要請し、他の版下案の提案を要請した場合である。この場合で、その旨を製品製造会社に所属する版下管理装置４０の利用者が、クライアント装置５から接続してログインして、利用者管理情報格納装置６２に版下管理情報を登録する。すると、図１４に示されるように版下管理情報の「ステータス」は「差し戻し（案１の微調整と、他の案の提案要請）」となる。
【０１３８】
図１５は、本実施例において再納品した際の版下管理情報（納品）を示す線図である。
【０１３９】
前述の図１４と比較すると、この図１５においては、「ステータス」は「差し戻し（案１の微修正と、他の案の提案要請）」から、再納品ゆえに「納品」に変更されている。又、特定保存形式の印刷物デザイン・データの「版下  案１  修正版」と「版下  案３」の添付が追加されている。
【０１４０】
図１４のように版下の案１の微修正を要請し、他の版下案の提案を要請した後、デザイン会社が版下の案１の修正及び校正を行なって再納品する。この旨を製品製造会社に所属する版下管理装置４０の利用者が、クライアント装置５から接続してログインして、利用者管理情報格納装置６２に版下管理情報を登録する。すると、図１５に示されるように版下管理情報の「ステータス」は再納品の「納品」となる。
【０１４１】
図１６は、本実施例において再納品を製品製造会社で校正して問題がなく印刷を依頼した際の版下管理情報（受領済・採用確定・印刷中 （案１修正版））を示す線図である。
【０１４２】
前述の図１５と比較すると、この図１６においては、「ステータス」は「納品」から「受領済・採用確定・印刷中 （案１修正版）」に変更されている。又、特定保存形式の印刷物デザイン・データの「版下  案１  修正版」は、「版下  案１  修正版  採用」に表示が変更されている。
【０１４３】
再納品の後に、ステップＳ１０８で製品製造会社は版下の校正を行なってから問題なしとされると、図４のステップＳ１１０のように印刷手配を行なう。この旨を製品製造会社に所属する版下管理装置４０の利用者が、クライアント装置５から接続してログインして、利用者管理情報格納装置６２に版下管理情報を登録する。すると、図１６に示されるように版下管理情報の「ステータス」は「受領済・採用確定・印刷中 （案１修正版）」となる。
【０１４４】
なお、印刷の手配以降については、図４を用いて前述したとおりである。
【０１４５】
次に、前記実施形態が適用された本発明の第２実施例について説明する。
【０１４６】
図１７は、本発明の第２実施例において校正基準とされる包装の版下（版下１）を示す線図である。又、図１８は、前記第２実施例において校正対象とされる包装の版下（版下２）を示す線図である。
【０１４７】
図１９は、前記第２実施例における前記版下（版下１）をＯＣＲ変換して生成された情報を示す線図である。又、図２０は、前記第２実施例における前記版下（版下２）をＯＣＲ変換して生成された情報を示す線図である。
【０１４８】
本発明の第２実施例において、校正対象とされる包装の版下（版下２）は、本第２実施例において校正基準とされる包装の版下（版下１）のリニューアル品の包装である。版下（版下１）は製品「スープ はるさめ（塩）」の包装であったのに対して、包装の版下（版下２）は、リニューアル品の製品「スープ はるさめ（減塩）」の包装である。
【０１４９】
ここで、本実施形態の版下管理システムでは、通常の版下作成業務以外に、異なるパッケージの版下同士を比較して妥当性を確認することができる。例えば、結果としてパッケージの一部のみが変更になる同一商品などのリニューアル品や、類似商品の間での比較や、同一商品におけるパッケージと個包装との比較のようなものも行なうことができ、何らかの誤りを見出す校正を行なうことができる。
【０１５０】
例えば、指定したパッケージの採用版下や指定した版下からテキスト情報を抽出し、これら抽出したテキスト情報同士を比較して、判定結果出力処理部４８から評価結果情報をクライアント装置５に出力することができる。但し、差異が大きい版下同士の比較から得られる評価結果情報の意味は薄くなる。
【０１５１】
このような版下同士の比較による評価結果情報の出力は、デザイン会社についても、製品製造会社についても、任意のタイミングで登録済の版下を指定して行なうことができる。これにより、リニューアル品や同系列商品のパッケージについての、何らかの誤りを見出す校正を行なうことができる。例えば、同じ系列の商品にも関わらず、注意書きの文言が異なるというような状況を検出することもできる。
【０１５２】
なお、これら図１９及び図２０に示される情報は、前述した図９の情報と同様に管理設定処理部４５によりＯＣＲ変換などを行なって生成される。そして、生成されたものは、例えば図１９の情報のように校正基準となるものの方は、印刷物登録情報格納装置６４に保存される。他方、例えば図２０の情報のように校正対象になるものの方は、印刷物版下情報格納装置６５に保存される。
【０１５３】
ここで、図２１は、前記第２実施例における前記版下（版下１）及び前記版下（版下２）の比較結果に従って出力される評価結果情報を示す線図である。
【０１５４】
まず、この図２１において、「No」が「１」のエラーについて取り上げる。
【０１５５】
このエラーについては、「対象No」が「１／１」となっている。
【０１５６】
この「対象No」にある「１／１」の分数における分子の「１」は、図１９に示される、版下（版下１）をＯＣＲ変換して生成された情報における「No」において、「１」となっているレコードを指し示しており、このレコードでは、「テキスト」が「スープ はるさめ（塩）」となっている。又、この「対象No」にある「１／１」の分数における分母の「１」は、図２０に示される、版下（版下２）をＯＣＲ変換して生成された情報における「No」において、「１」となっているレコードを指し示しており、このレコードでは、「テキスト」が「スープ はるさめ（減塩）」となっている。
【０１５７】
上記から、版下（版下１）の「スープ はるさめ（塩）」となっている「テキスト」と、版下（版下２）の「スープ はるさめ（減塩）」となっている「テキスト」とは不一致であり、これによってエラーとなっている。
【０１５８】
ここで、この図２１の「No」が「１」のエラーにおいて、「位置」が「上段中央」となっているように、このエラーの該当箇所は、校正対象とされる図１８の包装の版下（版下２）において、上段中央となる。
【０１５９】
次に、図２１において、「No」が「２」のエラーについて取り上げる。
【０１６０】
このエラーについては、「対象No」が「（ｎ＋７）／（ｎ＋７）」となっている。
【０１６１】
この「対象No」にある「（ｎ＋７）／（ｎ＋７）」の分数における分子の「（ｎ＋７）」は、図１９に示される、版下（版下１）をＯＣＲ変換して生成された情報における「No」において、「ｎ＋７」となっているレコードを指し示しており、このレコードでは、「テキスト」が「８００ｍｇ」となっている。又、この「対象No」にある「（ｎ＋７）／（ｎ＋７）」の分数における分母の「（ｎ＋７）」は、図２０に示される、版下（版下２）をＯＣＲ変換して生成された情報における「No」において、「ｎ＋７」となっているレコードを指し示しており、このレコードでは、「テキスト」が「２００ｍｇ」となっている。
【０１６２】
上記から、版下（版下１）の「８００ｍｇ」となっている「テキスト」と、版下（版下２）の「２００ｍｇ」となっている「テキスト」とは不一致であり、これによってエラーとなっている。
【０１６３】
ここで、この図２１の「No」が「２」のエラーにおいて、「位置」が「下段右側」となっているように、このエラーの該当箇所は、校正対象とされる図１８の包装の版下（版下２）において、下段右側となる。
【０１６４】
以上のように、このような図２１の評価結果情報からは、これら「No」が「１」のエラーについても、「No」が「２」のエラーについても、「塩」とされた製品の包装の版下（版下１）からデザイン変更された、「減塩」とされた製品の包装の版下（版下２）が、正しくデザイン変更されていることを確認することができている。
【符号の説明】
【０１６５】
１…ネットワーク
５…クライアント装置
２０…ＡＳＰサーバ装置
２２…アカウント管理処理部
２３…アカウント情報格納装置
２５…ＡＳＰ管理者装置
４０…版下管理装置
４２…共通校正用情報管理処理部
４５…管理設定処理部
４６…比較判定処理部
４８…判定結果出力処理部
６０…共通校正用情報格納装置
６２…利用者管理情報格納装置
６４…印刷物登録情報格納装置
６５…印刷物版下情報格納装置
３０１〜３０３…バス
３１０…ＣＰＵ
３１１…ＲＡＭ
３１２…ＲＯＭ
３１３…ＬＡＮ−Ｉ／Ｆ
３１４…ＭＯＤＥＭ
３２０〜３２２…Ｉ／Ｆ
３３０…画面表示装置
３３１…キーボード
３３２…マウス
３３３…プリンタ装置
３４０…ＨＤＤ装置
３４１…ＣＤドライブ装置
【図１】
0006683502.tif 000002
【図２】
0006683502.tif 000003
【図３】
0006683502.tif 000004
【図４】
0006683502.tif 000005
【図５】
0006683502.tif 000006
【図６】
0006683502.tif 000007
【図７】
0006683502.tif 000008
【図８】
0006683502.tif 000009
【図９】
0006683502.tif 000010
【図１０】
0006683502.tif 000011
【図１１】
0006683502.tif 000012
【図１２】
0006683502.tif 000013
【図１３】
0006683502.tif 000014
【図１４】
0006683502.tif 000015
【図１５】
0006683502.tif 000016
【図１６】
0006683502.tif 000017
【図１７】
0006683502.tif 000018
【図１８】
0006683502.tif 000019
【図１９】
0006683502.tif 000020
【図２０】
0006683502.tif 000021
【図２１】
0006683502.tif 000022